(57)【特許請求の範囲】
【請求項１】
シールドトンネルの図面を作図するシールドトンネル作図装置であって、
作成済みのシールドトンネルの立体図の図面データの内容を、新たなシールドトンネルの仕様に基づいて作成された変更データの内容に基づいて変更する図面データ変更手段と、
前記変更後の図面データに基づいて、新たなシールドトンネルの立体図を生成する立体図生成手段と、を備え、
変更前の図面データは、シールドトンネルの進路に沿って連続して配置されるセグメントリングの形状を表すセグメントリングデータを含み、
前記図面データ変更手段は、前記セグメントリングの形状を変更するように前記図面データを変更することを特徴とするシールドトンネル作図装置。
【請求項２】
前記変更前の図面データは、連続するセグメントリングの連結状態を規定する拘束情報を含み、
前記図面データ変更手段は、前記拘束情報に基づいて前記変更前の図面データを変更することを特徴とする請求項１に記載のシールドトンネル作図装置。
【請求項３】
前記図面データ及び前記変更データは、スプレッドシート形式で生成されることを特徴とする請求項１又は請求項２に記載のシールドトンネル作図装置。
【請求項４】
シールドトンネルの図面を作図するシールドトンネル作図装置であって、
作成済みのシールドトンネルの立体図の図面データの内容を、新たなシールドトンネルの仕様に基づいて作成された変更データの内容に基づいて変更する図面データ変更手段と、
前記変更後の図面データに基づいて、新たなシールドトンネルの立体図を生成する立体図生成手段と、を備え、
前記図面データ及び前記変更データは、スプレッドシート形式で生成されることを特徴とするシールドトンネル作図装置。
【請求項５】
前記変更後の図面データに基づいて、前記新たなシールドトンネルの平面図データ、縦断図データ、断面図データのいずれかを生成する図面データ生成手段を備えることを特徴とする請求項１乃至請求項４いずれかに記載のシールドトンネル作図装置。
【発明の詳細な説明】
【技術分野】
【０００１】
本発明は、シールドトンネルの作図装置に関し、シールドトンネルの設計時に作図されるトンネル図面の作図効率を向上可能なシールドトンネル作図装置に関する。
【背景技術】
【０００２】
シールドトンネルは、特許文献１に示すような、セグメントリングで構成されることが知られている。このようなシールドトンネルの設計では、セグメントリングにより構成されたシールドトンネルの平面図、縦断図、断面図等が作図される。これらの図面は、ＣＡＤ等の作図ソフトを用いて異なる形状や寸法を有する多様なセグメントリングの一つ一つを３次元で作図した後、各セグメントリングを設計上の所定の位置に配置することにより３次元のシールドトンネルの全体図を作図し、この全体図を基に作図される。
しかしながら、シールドトンネルの仕様に変更がなされた場合、平面図、縦断図、断面図を修正するために、再びセグメントリングを一つ一つ３次元で作図し直さねばならず多くの時間と手間を要していた。
【先行技術文献】
【特許文献】
【０００３】
【特許文献１】特開２０１２−１４９３９４号公報
【発明の概要】
【発明が解決しようとする課題】
【０００４】
本発明は、上記問題に鑑みて、シールドトンネルの仕様に変更があった場合でも、シールドトンネルの図面の作図効率を向上可能な作図装置を提供することを目的とする。
【課題を解決するための手段】
【０００５】
上記課題を解決するためのシールドトンネル作図装置の構成として、シールドトンネルの図面を作図するシールドトンネル作図装置であって、作成済みのシールドトンネルの立体図の図面データの内容を、新たなシールドトンネルの仕様に基づいて作成された変更データの内容に基づいて変更する図面データ変更手段と、変更後の図面データに基づいて、新たなシールドトンネルの立体図を生成する立体図生成手段とを備え、変更前の図面データは、シールドトンネルの進路に沿って連続して配置されるセグメントリングの形状を表すセグメントリングデータを含み、図面データ変更手段は、セグメントリングの形状を変更するように図面データを変更する構成とした。
本構成によれば、新たにシールドトンネルを設計する際に、シールドトンネルを一から作図せずに済むため、作図効率を向上させることができる。また、変更前の図面データは、シールドトンネルの進路に沿って連続して配置されるセグメントリングの形状を表すセグメントリングデータを含み、図面データ変更手段は、セグメントリングの形状を変更するように図面データを変更するので、新たなシールドトンネルの立体図を作図する場合に、セグメントリングの形状を変更するように変更データを構成すれば良いため、簡単に変更データを構成することができる。
また、変更前の図面データは、連続するセグメントリングの連結状態を規定する拘束情報を含み、図面データ変更手段は、前記拘束情報に基づいて前記変更前の図面データを変更するので、確実に新たなシールドトンネルの立体図を作図することができる。
また、図面データ及び変更データは、スプレッドシート形式で生成されるので、図面データの内容及び変更データの内容を容易に確認することができる。
また、シールドトンネル作図装置の他の構成として、シールドトンネルの図面を作図するシールドトンネル作図装置であって、作成済みのシールドトンネルの立体図の図面データの内容を、新たなシールドトンネルの仕様に基づいて作成された変更データの内容に基づいて変更する図面データ変更手段と、変更後の図面データに基づいて、新たなシールドトンネルの立体図を生成する立体図生成手段とを備え、図面データ及び変更データは、スプレッドシート形式で生成される構成とした。
また、変更後の図面データに基づいて、新たなシールドトンネルの平面図データ、縦断図データ、断面図データのいずれかを生成する図面データ生成手段を備えるので、新たなシールドトンネルの立体図に対応する平面図や縦断図、断面図等を容易に作図することができる。
【０００６】
なお、上記発明の概要は、本発明の必要な全ての特徴を列挙したものではなく、これらの特徴群のサブコンビネーションもまた、発明となり得る。
【図面の簡単な説明】
【０００７】
【図１】シールドトンネル作図装置の一実施形態を示すブロック図である。
【図２】処理装置の一実施形態を示すブロック図である。
【図３】表示装置に表示されたモデルトンネル図の一例を示す図である。
【図４】モデルデータの構成を示す図である。
【図５】セグメントリングの各部の寸法を示す図である。
【図６】シールドトンネル作図装置の動作を示すフローチャートである。
【図７】セグメントピースの分割数を変更したセグメントリングを示す図である。
【０００８】
以下、実施の形態を通じて本発明を詳説するが、以下の実施の形態は特許請求の範囲に係る発明を限定するものではなく、また、実施の形態の中で説明される特徴の組み合わせの全てが発明の解決手段に必須であるとは限らない。
【発明を実施するための形態】
【０００９】
図１は、シールドトンネル作図装置１の一実施形態を示すブロック図である。シールドトンネル作図装置１は、いわゆるコンピュータにより構成されており、ハードウェア資源として設けられた演算手段としてのＣＰＵを備える演算処理手段１１、ＲＯＭ，ＲＡＭ等の記憶手段１２、キーボードやマウス、或いは、磁気，光学ドライブ等の入力手段１３、モニター等の表示手段１４、ネットワークインターフェイスや外部機器等を接続する外部接続インターフェース１５等を備える。そして、演算処理手段１１のＣＰＵが、記憶手段１２に格納されたプログラムに従って後述の処理を実行することにより、シールドトンネル作図装置１を後述の各手段として動作させる。
【００１０】
図２は、演算処理手段１１によって実行される各処理を手段として表したブロック図である。シールドトンネル作図装置１は、モデルデータ読込手段２１と、変更データ読込手段２２と、パラメータ識別手段２３と、パラメータ抽出手段２４と、データ更新手段２５と、形状情報更新手段２６と、座標位置算出手段２７と、立体図生成手段２８と、図面データ生成手段２９とを備える。
【００１１】
モデルデータ読込手段２１は、記憶手段１２に格納されたモデルデータを読み込む。モデルデータとは、ＣＡＤソフトウェア等により３次元で作図されたトンネル立体図を生成するための３次元の図面データである。モデルデータには、例えばシールド工法により施工された既存のトンネルの設計時に作図されたトンネル立体図や、新規に施工されるシールドトンネルの計画当初に作図されたトンネル立体図等が利用される。シールドトンネル作図装置１では、当該モデルデータをベース（雛形）として新規のトンネル図を作図する。
【００１２】
図３は、モデルデータ読込手段２１によって読み込まれ、表示手段１４に表示されたモデルトンネル図Ｍの一例を示す図である。モデルトンネル図Ｍは、シールドマシンによる掘削の開始点から到達点まで順に設けられる複数のセグメントリングからなるトンネル立体図として作図されている。表示されたシールドトンネルのモデルトンネル図Ｍでは、所望の位置をカーソルＫで指定することにより、指定されたセグメントリングの情報を表示、参照可能である。
【００１３】
図４（ａ），（ｂ）は、モデルデータの構成を示す図である。図４（ａ）に示すように、モデルデータは、シールドトンネルを形成する複数のセグメントリングのリングデータの集合体として構成されている。例えば、各リングデータは、シールドトンネルの始発点から順にリングデータＮｏ．１、リングデータＮｏ．２、・・・、リングデータＮｏ．１０００等のようにリング毎に所定の識別番号が割り当てられている。図４（ｂ）に示すように、各リングデータは、寸法情報、形状情報、位置情報、拘束情報等を含んで構成される。寸法情報、形状情報、位置情報、拘束情報は、コンピュータ上においてＣＡＤソフトウェア等の作図ソフトウェアによりセグメントリングの立体図を作図したときに、所定の書式で予め記録された情報である。各リングデータを構成する寸法情報、形状情報、位置情報、拘束情報等は、例えば、表計算ソフトウェアで読込可能なように、複数の行及び列に配置されたセルにデータを入力するワークシート上の所定の行及び列に記録される。そして、各リングデータの情報を記録した複数のワークシートを１つのファイル、例えばスプレッドシート形式に保存することにより、モデルデータが構成される。
【００１４】
図５は、セグメントリングの寸法情報の一例を示す図である。寸法情報は、セグメントリングＲの幅Ｗ、内径Ｄ１、外径Ｄ２、図示しないテーパー量、垂直方向角、水平方向角、セグメントリングを形成するセグメントピースＳ１〜Ｓ５の分割数Ｎ、各セグメントピースＳ１〜Ｓ５の中心角θ１〜θ５等、隣接するセグメントピース同士を連結する際のボルト穴ｈのボルト穴数、ボルトピッチ角θｐ等の数値情報を含んで構成される。寸法情報に含まれる各情報は、それぞれパラメータとして符号を付して設定され、セグメントリングＲの形状を特定するための１つのパラメータ群を形成する。以下、これらのパラメータ群をモデルパラメータ群という。そして、寸法情報であるモデルパラメータ群の数値を変更することにより、後述の形状情報が変更される。このような寸法情報は、上述の各ワークシート上のセルに数値データとして保存される。
【００１５】
形状情報は、セグメントリングの内周面や外周面、一対の端面の向きや形状、及び前記各面を画成する内周縁や外周縁の形状を定義するためのデータを含んで構成される。なお、寸法情報及び形状情報は互いに紐付けされる。例えば、形状情報の内周縁には数値情報の内径が、形状情報の外周縁には数値情報の外径等がそれぞれ紐付けされる。
【００１６】
位置情報は、モデルトンネルの全体図を形成するように、個別に作図したセグメントリングを所定の位置に配置したときの始発点からの配置位置、コンピュータ上に設定された３次元の座標位置、及び１つのセグメントリングを構成するセグメントピース同士の接合部Ｊの３次元の座標位置等を含んで構成される。各セグメントリングの座標位置は、例えばセグメントリングにおける始発点側の中心の座標位置が設定される。座標位置の原点には、例えば、シールドマシンによる掘進の始発点、即ち、リングデータＮｏ．１の始発点側の中心の位置が設定される。また、セグメントピースの座標位置は、各セグメントリングの中心に基づいて設定される。なお、上述のコンピュータ上の座標位置は、実際にシールドトンネルが設けられる現地においてＧＰＳ、ＩＧＳ、測量等により得られる３次元のグローバル座標の位置に対応するようにスケーリングされたものである。このような形状情報は、上述の各ワークシート上のセルに数値データとして保存される。
【００１７】
拘束情報は、隣接するセグメントリング同士の配置位置を設定するための情報、及び各セグメントリングを構成するセグメントピース同士の位置関係を示す情報等を含んで構成される。拘束情報には、例えば、隣接するセグメントリングのフランジ面に設けられたボルト穴の位置が一致すること、隣接するセグメントリングの軸線が連続すること、セグメントリングを形成するセグメントピースの接合部Ｊの位置が、隣接するセグメントリングで連続しないようにすること等を規定する。セグメントリング同士の拘束は、例えば、リングデータＮｏ．１−リングデータＮｏ．２、リングデータＮｏ．２−リングデータＮｏ．３、…等のように始発点側から順に対をなすように関連付けられる。このような拘束情報は、上述の各ワークシート上のセルに数値データとして保存される。
【００１８】
図２に戻り、変更データ読込手段２２は、記憶手段１２に格納された変更データを読み込む。変更データとは、所望の仕様の新たなトンネル図を作図するために、モデルトンネル図に変更を加えるためのデータである。変更データは、上記モデルデータに対応するように、スプレッドシート形式で生成される。変更データは、モデルトンネル図のセグメントリングを所望の形状に変形するように、モデルデータの各ワークシートに記録されたモデルパラメータ群の中から形状の変形に関連するパラメータを選択して構成される。
選択されたパラメータは、例えば、各ワークシートにおいてヘッダーとなる位置に変更パラメータとして記録される。変更パラメータには、変更する内容（数値情報）が紐づけして記録される。即ち、ワークシートにおけるヘッダー（変更パラメータ）に対応するセルに、形状を変形するための数値データが入力される。例えば、セグメントリングの分割数を変更する場合には、変更データとして、変更対象となるセグメントリングの位置、及び変更パラメータとしての「分割数」が所定の書式でワークシートに入力される。また、例えば、モデルトンネル図における直径を変更する場合には、変更データとして、変更対象となるセグメントリングの位置及び範囲、変更パラメータとしてのセグメントリングの内径，外径の数値が所定の書式でワークシート内に構成される。
上述のように、モデルデータ及び変更データをスプレッドシート形式の表データとして生成することにより、モデルデータの内容及び変更データの内容を容易に確認することができる。
【００１９】
パラメータ識別手段２３は、変更データ読込手段２２により読み込まれた変更データに設定されたパラメータの符号を識別する。パラメータ識別手段２３により識別されたパラメータの符号は、パラメータ抽出手段２４に出力される。パラメータ抽出手段２４は、パラメータ識別手段２３から入力された変更パラメータの符号に対応する符号を有するパラメータをモデルパラメータ群の中から抽出する。
【００２０】
データ更新手段２５は、パラメータ抽出手段２４により抽出されたパラメータの内容を、変更パラメータに紐付けされた数値情報の内容に更新する。
【００２１】
形状情報更新手段２６は、データ更新手段２５によるパラメータの更新をトリガーとし、更新された数値情報に基づいてモデルデータの形状情報を更新する。
【００２２】
座標位置算出手段２７は、形状情報更新手段２６による形状情報の更新をトリガーとし、更新前のモデルデータに含まれる拘束情報と、更新された数値情報及び形状情報とに基づいて、各セグメントリングを表示手段１４に表示するための３次元座標位置を算出し、各リングデータの位置情報を更新する。各リングデータの数値情報、形状情報及び位置情報は、上述したように、情報が互いにリンクするように構成される。
上記データ更新手段２５、形状情報更新手段２６及び座標位置算出手段２７は、モデルトンネル図のモデルデータに変更を加える図面データ変更手段として機能する。データ更新手段２５、形状情報更新手段２６及び座標位置算出手段２７を経て更新されたモデルデータは、更新済みモデルデータとして記憶手段１２に格納され、立体図生成手段２８に出力される。
【００２３】
立体図生成手段２８は、変更前のモデルデータ、及び更新済みモデルデータに基づいて、表示手段１４にモデルトンネル図や変更後の新規トンネル図等の立体図を表示手段１４上に生成する。
【００２４】
図面データ生成手段２９は、平面図データ生成部、縦断図データ生成部、断面図データ生成部を有する。平面図データ生成部は、例えば、更新済みモデルデータからＺ軸に関する成分を含むデータを削除することで平面図を表示するための平面図データを生成する。縦断図データ生成部は、例えば、更新済みモデルデータからＹ軸に関する成分を含むデータを削除することで縦断図を表示するための縦断図データを生成する。断面図データ生成部は、例えば、更新済みモデルデータからＸ軸に関する成分を含むデータを削除することで断面図を表示するための断面図データを生成する。図面データ生成手段２９により作成された平面図データ、縦断図データ、断面図データは、表示手段１４に出力され、その図形が表示される。
【００２５】
図６は、シールドトンネル作図装置１の処理を示すフローチャートである。以下、セグメントリングの分割数を変更する場合を例として、シールドトンネル作図装置１の処理について説明する。
［Ｓ１０１］
モデルデータ及び変更データを入力手段１３を介して入力する。入力されたモデルデータ及び変更データは記憶手段１２に格納される。
［Ｓ１０２，Ｓ１０３］
記憶手段１２に格納されたモデルデータ及び変更データをそれぞれモデルデータ読込手段２１及び変更データ読込手段２２によって読み込む。
［Ｓ１０４］
変更データ読込手段２２によって読み込んだ変更データをパラメータ識別手段２３により変更パラメータの種別が符号により識別される。パラメータ識別手段２３により識別された符号は、パラメータ抽出手段２４に出力される。なお、ここでは識別された符号が、分割数Ｎであるとして説明する。
［Ｓ１０５］
パラメータ抽出手段２４は、パラメータ識別手段２３から入力された符号Ｎ（分割数）に対応するパラメータをモデルパラメータの中から抽出する。
［Ｓ１０６］
パラメータ抽出手段２４により抽出された符号Ｎに対応するパラメータの内容を変更パラメータに紐付けされた内容に更新する。例えば、図５に示す分割数Ｎ＝５のセグメントリングＲを、図７に示す分割数Ｎ＝７のセグメントリングＲに変更する場合、分割数を示す符号Ｎには、セグメントリングＲの分割数「７」と、セグメントリングＲを形成する７つのセグメントピースＳ１〜Ｓ７の中心角θ１〜θ７の角度等の数値が紐付けされて記載される。
［Ｓ１０７］
分割数Ｎの数値及びセグメントピースの中心角θ１〜θ７の角度が更新された寸法情報に基づいて、セグメントリングＲの分割数Ｎが７となるようにモデルデータの形状情報を更新する。
［Ｓ１０８］
更新前のモデルデータに含まれる拘束情報と、Ｓ１０６，Ｓ１０７により更新された寸法情報及び形状情報とに基づいて、モデルデータに含まれるコンピュータ上における位置情報を更新する。即ち、セグメントリングの分割数が「５」から「７」に変更されたことにより、セグメントリングにおけるセグメントピースの接合部Ｊの位置が変わるため、その作図位置を算出し、位置情報の内容を更新する。位置情報の更新により、モデルデータは、更新済みデータとして保存され、立体図生成手段２８に出力される。
［Ｓ１０９］
立体図生成手段２８では、更新済みデータを所定の処理を実行することで、表示手段１４上に新規トンネル図を生成する。即ち、表示手段１４上に新規トンネル図の立体図が表示される。
［Ｓ１１０］
新規トンネル図の表示後、図面に誤りがないかどうか作業者による確認後、図面データ生成手段２９を動作させ、更新済みデータに所定の編集を加えて平面図データ、縦断図データ、断面図データを作成して終了する。
【００２６】
以上説明したように、コンピュータにより作図済みのシールドトンネルの立体図を、新たなシールドトンネルの設計図を作図するときの１つのテンプレートとして利用することにより、新規トンネル図の作図効率を向上させることができる。
【００２７】
なお、上記実施形態では、セグメントリングの分割数に変更があった場合を例にして説明したが、所望の仕様の新規トンネル図が得られるように、寸法情報に含まれる内径Ｄ１や外径Ｄ２等のモデルパラメータを変更データにより変更することにより、モデルトンネル図よりも大径な新規トンネル図や、トンネル全体の形状に変化が及ぶようにモデルトンネル図を変形させた新規トンネル図を作図することも可能である。
【符号の説明】
【００２８】
１  シールドトンネル作図装置、２１  モデルデータ読込手段、
２２  変更データ読込手段、２３  パラメータ識別手段、２４  パラメータ抽出手段、
２５  データ更新手段、２６  形状情報更新手段、２７  座標位置算出手段、
２８  立体図生成手段、２９  図面データ生成手段。
【図１】
0006571428.tif 000002
【図２】
0006571428.tif 000003
【図３】
0006571428.tif 000004
【図４】
0006571428.tif 000005
【図５】
0006571428.tif 000006
【図６】
0006571428.tif 000007
【図７】
0006571428.tif 000008